(57)【特許請求の範囲】
【請求項１】
所定の被搬送物を搬送路に沿って搬送する搬送装置と、
搬送路上の所定の被搬送物の位置追跡データを求める位置追跡手段と、
搬送路上を搬送される物体を検知して、前記位置追跡データを物体の検知位置に置き換えるか否かを判定し、置き換えると判定した場合は前記位置追跡データの置き換えを行う位置修正手段と、を備え、
前記位置修正手段は、搬送方向について前記位置追跡データの下流側の位置から、前記位置追跡データよりも一つだけ下流側の他の位置追跡データの上流側の位置までのうち、一定範囲で搬送される物体を検知した場合、検知した物体を所定の被搬送物以外の物体とみなして、前記位置追跡データの置き換えを行わない構成としたこと
を特徴とする搬送設備。
【請求項２】
前記一定範囲は、前記位置追跡データより搬送装置上で前記所定の被搬送物に発生すると想定されるずれの最大距離を隔てた位置を起点とすること
を特徴とする請求項１に記載の搬送設備。
【請求項３】
前記一定範囲は、搬送方向について前記位置追跡データの下流側の位置よりも前記ずれの最大距離を隔てた位置から、前記位置追跡データよりも一つだけ下流側の他の位置追跡データの上流側の位置までの範囲であること
を特徴とする請求項２に記載の搬送設備。
【請求項４】
前記ずれの最大距離は、前記所定の被搬送物の搬送方向における長さに基づいて設定されること
を特徴とする請求項２又は３に記載の搬送設備。
【請求項５】
所定の被搬送物を搬送路に沿って搬送し、所定の搬送路上の被搬送物の位置追跡データを求め、搬送路上を搬送される物体を検知して、前記位置追跡データを物体の検知位置に置き換えるか否かを判定するに際し、
搬送方向について前記位置追跡データの下流側から、前記位置追跡データよりも一つだけ下流側の他の位置追跡データの上流側までのうち、一定範囲で搬送される物体が検知された場合、検知した物体を所定の被搬送物以外の物体とみなして、求めた所定の被搬送物の位置追跡データの置き換えを行わないようにしたこと
を特徴とする被搬送物の位置追跡データの修正方法。
【発明の詳細な説明】
【技術分野】
【０００１】
本発明は、所定の被搬送物を搬送する搬送設備および被搬送物の位置追跡データの修正方法に関する。
【背景技術】
【０００２】
従来の搬送設備の一例として物品投入設備が特許文献１に開示されている。この特許文献１に記載された物品投入設備は、所定の被搬送物として、物品を出し入れ可能な上方開口部を有する集品容器を搬送装置により搬送し、搬送路に沿って配置された投入装置により、搬送される集品容器に対して上方から物品を自動的に落下投入させる設備である。この物品投入設備では、搬送装置上の集品容器の搬送位置の追跡（トラッキングともいう）が行われており、投入装置の起動タイミングが集品容器の位置追跡データに基づいて決定されている。
【０００３】
集品容器の位置の追跡は、制御装置が行う。集品容器の位置の追跡を行うために、ベルトコンベヤ式の搬送装置の回転部には、当該回転部の回転に応じてパルス信号を発生するエンコーダが設けられている。また、搬送装置上の集品容器の搬送を開始する基準位置には、集品容器の検知装置が設けられている。さらに、この基準位置の検知装置の近傍には、集品容器に貼り付けられている識別ラベルに記録された個別の識別符号を読み取る読取装置が設けられている。制御装置は、読取装置により読み取られた識別符号が入力され、基準位置の検知装置により検知信号が入力されると、識別符号ごとに集品容器の基準位置のデータを作成する。そして、制御装置は、作成した識別符号ごとの基準位置のデータに、エンコーダから入力するパルス信号の数に対応した搬送距離を加算した位置を集品容器の位置追跡データとして求めて記憶する。
【０００４】
エンコーダのパルス信号の数と搬送装置上の集品容器の搬送距離とは同期しており、制御装置は、集品容器の実際の位置と同期した集品容器の位置追跡データをリアルタイムに求める。この制御装置により求められる集品容器の位置追跡データは、集品容器の実際の位置として、設備内の種々の機器の制御に用いることができる。例えば、物品投入設備では、投入装置による集品容器に対する物品の投入を行う際に、制御装置により求められる集品容器の位置追跡データが用いられており、集品容器の位置追跡データが投入装置の手前位置まで到達すると、投入装置の投入動作が開始され、投入動作が完了するときに集品容器が投入装置の直下に丁度位置されるように構成されている。
【０００５】
集品容器の位置追跡データは、集品容器の実際の位置と一致することが通常である。しかしながら、搬送装置において、回転部と、回転部の回転に同期して循環駆動することで集品容器を搬送する無端体との間にスリップが生じた場合や、外力が加わって集品容器が搬送面上をずれ移動した場合等には、集品容器の実際の位置が集品容器の位置追跡データからずれて一致しなくなる。物品投入設備では、集品容器の位置追跡データを集品容器の実際の位置とみなして投入装置による集品容器に対する物品の投入動作を行うため、集品容器の実際の位置が集品容器の位置追跡データからずれて一致していないと、投入装置から投入される物品が集品容器の外にこぼれるおそれが高くなる。
【０００６】
そのため、物品投入設備では、集品容器の実際の位置と集品容器の位置追跡データとの間に生じたずれを修正するべく、搬送路の途上に修正位置を設け、この修正位置に位置修正用の検知装置を設けている。この位置修正用の検知装置は、搬送面のやや上方において、搬送路と略直交する水平方向に走る検知光路を有する光センサからなり、検知光が遮られると、制御装置へ検知信号が出力されるようにされている。制御装置は、位置修正用の検知装置から検知信号を入力すると、集品容器の位置追跡データを集品容器が検知された位置（修正位置）に置き換えるように構成されている。これにより、集品容器の位置追跡データが集品容器の実際の位置に一致するように修正され、投入装置から落下投入された物品が集品容器の外にこぼれ落ちる可能性が低減される。
【先行技術文献】
【特許文献】
【０００７】
【特許文献１】特開２００９−３５３１０号公報
【発明の概要】
【発明が解決しようとする課題】
【０００８】
しかしながら、このように集品容器の位置追跡データの修正を行っても、投入装置による物品の投入が何らかの原因によって失敗する可能性は皆無ではなく、集品容器の外にこぼれた物品が搬送装置上に落下することがある。搬送装置上に落下した物品（落下物；集品容器以外の物体の一例）は、集品容器と同様に搬送装置によって搬送路を搬送されて修正位置まで搬送され、位置修正用の検知装置の検知に引っ掛かることになるが、このとき、位置修正用の検知装置において、集品容器以外の物体が集品容器として誤検知されることがある。位置修正用の検知装置によって落下物が集品容器として誤検知されると、集品容器の位置追跡データが落下物の搬送位置に誤って置き換えられる。すると、この誤りが発端となって、位置修正用の検知装置が集品容器を検知する都度、集品容器の位置追跡データが別の集品容器の実際の位置に置き換えられてゆき、集品容器の位置追跡データと実際の位置との対応関係が狂っていくことになる。集品容器の位置追跡データと実際の位置との対応関係に狂いが生じると、物品投入設備では、集品容器の位置追跡データを集品容器の実際の位置とみなして投入装置による集品容器に対する物品の投入を行うため、投入装置が、集品容器に対して、別の集品容器に投入すべき物品を誤って投入する失敗を連鎖的に起こすようになり、設備の運用に重大な支障をきたすことになる。ここでは物品投入設備を一例に挙げたが、搬送設備では、このように、搬送装置上の所定の被搬送物の実際の位置と位置追跡データとの不一致が誤って修正される問題は回避されることが望ましい。
【０００９】
そこで、本発明は、搬送装置上の所定の被搬送物の実際の位置と位置追跡データとの不一致の修正を的確に行うことができる搬送設備および被搬送物の位置追跡データの修正方法を提供することを目的とする。
【課題を解決するための手段】
【００１０】
上記目的を達成するため、本発明の搬送設備は、所定の被搬送物を搬送路に沿って搬送する搬送装置と、搬送路上の所定の被搬送物の位置追跡データを求める位置追跡手段と、搬送路上を搬送される物体を検知して、前記位置追跡データを物体の検知位置に置き換えるか否かを判定し、置き換えると判定した場合は前記位置追跡データの置き換えを行う位置修正手段と、を備え、前記位置修正手段は、搬送方向について前記位置追跡データの下流側の位置から、前記位置追跡データよりも一つだけ下流側の他の位置追跡データの上流側の位置までのうち、一定範囲で搬送される物体を検知した場合、検知した物体を所定の被搬送物以外の物体とみなして、前記位置追跡データの置き換えを行わない構成としたものである。したがって本発明によれば、所定の被搬送物以外の物体の搬送される位置が所定の被搬送物の位置追跡データに置き換わることが回避可能とされ、搬送装置上の所定の被搬送物の実際の位置と被搬送物の位置追跡データとの不一致の修正を的確に行うことが可能とされる。
【００１１】
また本発明は、請求項２に記載の如く、前記一定範囲は、前記位置追跡データより搬送装置上で前記所定の被搬送物に発生すると想定されるずれの最大距離を隔てた位置を起点とすることが好適である。このような構成によると、所定の被搬送物が最大限に位置ずれしていたとしても、位置データと、前記位置データより搬送装置上で発生する所定の被搬送物のずれの最大距離を隔てた位置との間の範囲に所定の被搬送物とみなされる寸法の所定の被搬送物以外の物体が侵入することが防止され、所定の被搬送物以外の物体の搬送される位置が所定の被搬送物の位置追跡データに置き換わることが有効に防止可能とされる。
【００１２】
また上記目的を達成するため、本発明の被搬送物の位置追跡データの修正方法は、所定の被搬送物を搬送路に沿って搬送し、所定の搬送路上の被搬送物の位置追跡データを求め、搬送路上を搬送される物体を検知して、前記位置追跡データを物体の検知位置に置き換えるか否かを判定するに際し、搬送方向について前記位置追跡データの下流側から、前記位置追跡データよりも一つだけ下流側の他の位置追跡データの上流側までのうち、一定範囲で搬送される物体が検知された場合、検知した物体を所定の被搬送物以外の物体とみなして、求めた所定の被搬送物の位置追跡データの置き換えを行わないようにしたものである。したがって本発明によれば、位置追跡データから搬送方向につき下流側の一定範囲を搬送される物体を検知した場合、検知した物体を所定の被搬送物以外の物体とみなして、位置追跡データを所定の被搬送物以外の物体の置き換えを行わないようにしたため、所定の被搬送物以外の物体の搬送される位置が所定の被搬送物の位置追跡データに置き換わることが回避可能とされ、搬送装置上の所定の被搬送物の実際の位置と所定の被搬送物の位置追跡データとの不一致の修正を的確に行うことが可能とされる。
【発明の効果】
【００１３】
本発明によれば、位置追跡データから搬送方向につき下流側の一定範囲を搬送される物体を検知した場合、検知した物体を所定の被搬送物以外の物体とみなして、位置追跡データを所定の被搬送物以外の物体の置き換えを行わないようにしたため、所定の被搬送物以外の物体の搬送される位置が所定の被搬送物の位置追跡データに置き換わることを回避でき、搬送装置上の所定の被搬送物の実際の位置と位置追跡データとの不一致の修正を的確に行うことができる。
【図面の簡単な説明】
【００１４】
【図１】本発明の実施の形態の搬送設備の一例の物品投入設備の全体構成の概略平面図である。
【図２】同物品投入設備において第１検知装置による検知長さが集品容器より長すぎる場合と短すぎる場合を示す側面から見た説明図である。
【図３】同物品投入設備において集品容器の位置追跡データから搬送方向において所定距離だけ下流の位置から次の集品容器の位置追跡データまでの範囲で物体が検知された場合を示す側面から見た説明図である。
【図４】同物品投入設備において集品容器の位置追跡データに集品容器の実際の位置を合わせて修正する場合を示す側面から見た説明図である。
【図５】同物品投入設備において集品容器の位置追跡データを第２検知装置の位置において集品容器の実際の位置に置き換える場合を示す側面から見た説明図である。
【図６】同物品投入設備の制御システムのブロック図である。
【発明を実施するための形態】
【００１５】
図１は、搬送設備の一例の物品投入設備１１の全体構成の概略を示す平面図である。この物品投入設備１１は、ベルトコンベヤ装置等から構成される搬送装置１４により、搬送路に沿って複数の所定の被搬送物の一例である集品容器１２を順次搬送し、搬送路に沿って複数配置された投入装置１５により、物品１３の出し入れが可能な上方開口部を有する集品容器１２に物品１３を上方から落下投入させることで、集品容器１２に対する物品１３の集品を行う設備である。
【００１６】
搬送装置１４は、通常の運転時には、一定速度で集品容器１２を搬送する。各集品容器１２には、集品容器１２毎に異なる独立した識別符号を記録した識別ラベル３７等が付与されている。これに対応して、搬送装置１４における集品容器１２の導入部であって投入装置１５よりも搬送方向における上流側の位置には、集品容器１２に貼り付けられた識別ラベル３７等に記録された識別符号を読み取るための読取装置１８が配置されている。また搬送装置１４の回転部の回転に応じてパルス信号を出力するエンコーダ１９が設けられている。また搬送装置１４の近傍には、集品容器１２の実際の位置と位置追跡データとのずれを修正するための制御装置２０（図６）が配置されている。
【００１７】
また搬送方向における読取装置１８と投入装置１５との間には、搬送装置１４上の集品容器１２に対して基準位置を設定するためにその集品容器１２を検知するための基準位置検知装置３１が設けられている。基準位置検知装置３１は、搬送路に略直交する水平方向に走る検知光路を有する光センサにより構成することができる。基準位置検知装置３１の検知光が遮られると、基準位置検知装置３１から制御装置２０へ検知信号が出力される。
【００１８】
読取装置１８および基準位置検知装置３１よりも搬送路における下流位置には、作業者（図示せず）が作業を担当する複数の作業領域Ｚ（ゾーンともいう）が搬送路に沿って配置されている。各作業領域Ｚは、集品容器１２の位置の修正等を行う調整領域Ａと、調整領域Ａの下流に隣接して配置され、集品容器１２に対して投入装置１５により物品１３の落下投入を行う投入領域Ｂとに区分されている。なお、搬送路の最上流の作業領域Ｚでは、作業領域Ｚに搬入される集品容器１２について投入装置１５による物品１３の投入がまだ行われておらず、投入装置１５に起因する位置ずれは発生していないため、搬送路の最上流の作業領域Ｚに調整領域Ａを配置するか否かは任意である。本実施の形態では、搬送路における最上流の作業領域Ｚに調整領域Ａがなく、投入領域Ｂだけを配置している場合を一例として記載している。
【００１９】
作業領域Ｚには、種類毎の物品１３を保管する物品保管手段３０が備えられている。そして、投入領域Ｂには、作業者によって物品保管手段３０から取り出された物品１３が内部に載置され、内部に載置された物品１３を搬送装置１４により搬送される集品容器１２内に自動的に投入する複数の投入装置１５が配置されている。投入領域Ｂでは、制御装置２０（図６）に記憶される集品容器１２の位置追跡データにしたがって、投入装置１５により搬送される集品容器１２に対して物品１３が自動的に落下投入される。投入領域Ｂを通過した集品容器１２は、投入装置１５から落下投入する物品１３がぶつかる衝撃等で位置ずれしていることがある。集品容器１２の実際の位置が集品容器１２の位置追跡データからずれていると、隣接する作業領域Ｚの投入領域Ｂにおいて次に投入装置１５により集品容器１２に対する物品１３の投入を行う際に物品１３が集品容器１２の外にこぼれるおそれが高まる。
【００２０】
このため、投入領域Ｂの下流に隣接して、隣接する作業領域Ｚの調整領域Ａが配置されている。調整領域Ａでは、次に投入装置１５により物品１３の投入作業を行う前に、集品容器１２の実際の搬送位置と位置追跡データとを一致させるための調整が行われる。そのために、調整領域Ａには、搬送面のやや上方において、搬送路と略直交する水平方向に走る検知光路を有する光センサから構成される第１検知装置３２と、第１検知装置３２より下流側に配置され、搬送面のやや上方において、搬送路と略直交する水平方向に走る検知光路を有する光センサから構成される第２検知装置３３と、集品容器１２の位置追跡データに相当する位置を作業者に通知する際の目印となる目盛等が設けられた位置表示手段３５と、各種情報を表示するタッチパネル等から構成される表示装置３６とが備えられている。また位置表示手段３５の近傍には、集品容器１２の位置追跡データに合わせて集品容器１２の実際の位置を修正するため、集品容器１２の位置追跡データを停止させる基準となる停止基準位置Ｋが設定されている。
【００２１】
第１検知装置３２は、集品容器以外の物体（例えば、集品容器からこぼれた物品である落下物）の検知と、集品容器１２の実際の位置を位置追跡データに合わせて修正することに用いられる。また第２検知装置３３は、集品容器１２の位置追跡データを実際の位置に合わせて修正することに用いられる。また位置表示手段３５は、集品容器１２の位置追跡データを示す目印として用いられる。また表示装置３６は、集品容器１２の位置追跡データに相当する位置表示手段３５上の位置を作業者に知らせるために用いられる。第１検知装置３２の検知光が遮られると、第１検知装置３２から制御装置２０（図６）へ検知信号が出力される。また第２検知装置３３の検知光が遮られると、第１検知装置３２から制御装置２０（図６）へ検知信号が出力される。なお、表示装置３６は、作業者が確認できる場所に設置されていればよく、設置する場所は投入領域Ｂであってもよい。
【００２２】
次に、物品投入設備１１における制御構成と物品投入設備１１の動作を説明する。集品容器の位置追跡データが集品容器以外の物体の位置に置き換わることを防止するために、集品容器と集品容器以外の物体とを区別して検知し、その上で、集品容器の実際の位置と位置追跡データとが一致するように修正する必要がある。このため、図６に示すように、制御装置２０は、集品容器の位置追跡データを求めて記憶する位置追跡部２１と、搬送方向長さにより物体が集品容器以外の物体であるか否かを判定する第１判定部２２と、検知位置により物体が集品容器以外の物体であるか否かを判定する第２判定部２３と、集品容器の実際の位置を位置追跡データに合わせて修正するか否かを判定する第３判定部２４と、位置追跡部２１に記憶されている集品容器の位置追跡データを実際の位置に合わせて修正する位置修正部２５と、搬送装置１４の減速、停止、再開を行う駆動部２６とを備えている。
【００２３】
まず、集品容器以外の物体の検出について説明する。制御装置２０では、集品容器以外の物体の検出を第１判定部２２と第２判定部２３により行う。第１判定部２２は、原則として、図２（ａ）（ｂ）のものを集品容器以外の物体１３ａと認識する。図２（ａ）（ｂ）は、第１検知装置３２による物体の検知長さが集品容器の搬送方向長さと大きく異なる場合を示しており、図２（ａ）は、集品容器の搬送方向長さに比べて、その搬送方向長さが短すぎる場合を示し、図２（ｂ）は、その搬送方向長さが長すぎる場合を示している。
【００２４】
第１判定部２２（図６）には、図２（ａ）（ｂ）に示されているような、集品容器とみなすことができる下限長さＬおよび上限長さＭが予め記憶されている。第１判定部２２は、第１検知装置３２による第１検知長さＯが、下限長さＬ未満であったとき、あるいは、上限長さＭを超えたとき、第１検知装置３２により検知された物体が集品容器以外の物体であると判定する。なお、第１判定部２２は、第１検知装置３２から物体の検知信号が入力されてから途絶えるまでの間にエンコーダ１９から入力されるパルス信号の数に応じた距離として第１検知長さＯを求めている。
【００２５】
また第１判定部２２は、特別な場合として、図２（ｃ）（ｄ）のものを集品容器以外の物体と認識する。図２（ｃ）（ｄ）は、集品容器の壁部に集品容器以外の物体１３ａが密接して搬送されている場合を示しており、図２（ｃ）は、集品容器の搬送方向における上流側の壁部に集品容器以外の物体１３ａが密接して搬送されている場合を示し、図２（ｄ）は、集品容器の搬送方向における下流側の壁部に集品容器以外の物体１３ａが密接して搬送されている場合を示している。集品容器の壁部に集品容器以外の物体１３ａが密接して搬送されている場合、第１検知装置３２には、一体となった一つの物体として検知されるため、この場合も、第１判定部２２は、集品容器以外の物体１３ａが存在すると認識する。
【００２６】
第１判定部２２は、集品容器以外の物体を認識すると、駆動部２６に減速信号又は停止信号を出力し、搬送装置１４を減速又は停止させる。作業者は、搬送装置１４が減速又は停止されている間に、集品容器以外の物体が落下物である場合は、当該落下物を集品容器内に投入し直す作業を行う。作業者は、落下物を集品容器内へ投入し直す作業が完了すると、再開信号を駆動部２６に出力する再起動スイッチ３８（図１）を操作する。再起動スイッチ３８が操作されると、駆動部２６により搬送装置１４の通常の運転が再開される。
【００２７】
第２判定部２３（図６）は、第１判定部２２と異なる条件で集品容器以外の物体の認識を行う。ある集品容器とそれよりも一つだけ下流側の他の集品容器との間の所定距離の範囲には、何も物体が存在しないはずである。よって、この範囲で物体が検知されたなら、基本的に、その物体は集品容器以外の物体であると判定することができる。ただし、多少の位置ずれをした集品容器を集品容器以外の物体として認識することは妥当ではないため、集品容器の多少の位置ずれは許容される。
【００２８】
よって、図３の斜線で示すように、集品容器の位置追跡データ１２ｂから一定距離だけ搬送方向における下流側の位置から次の集品容器の位置追跡データ１２ｂまでの範囲で第１検知装置３２により検知された物体を集品容器以外の物体であると認識する。ここで、一定距離の範囲は、集品容器の位置追跡データ１２ｂより搬送装置上で集品容器に発生すると想定されるずれの最大距離を隔てた位置を起点とすることが好適である。このようにすると、集品容器が最大限に位置ずれしていたとしても、集品容器の位置追跡データ１２ｂと、集品容器の位置追跡データ１２ｂより搬送装置１４上で発生する集品容器のずれの最大距離を隔てた位置との間の範囲に集品容器とみなされる寸法の集品容器以外の物体が侵入することが防止され、集品容器以外の物体の搬送される位置が集品容器の位置追跡データ１２ｂに置き換わることが有効に防止可能とされる。さらに、ずれの最大距離は、集品容器に投入される物品の最小寸法を考慮して、規定の集品容器の約半分の長さの距離として設定することができる。このようにすると、ずれの最大距離の範囲内に、集品容器とみなされる寸法の集品容器以外の物体が侵入することが有効に防止され、集品容器以外の物体を集品容器として誤検出するおそれをより有効に防止できる。このため、第２判定部２３（図６）は、位置追跡部２１から入力する集品容器の位置追跡データに基づいて、図３における斜線で示す範囲を求め、図３における斜線の範囲において、第１検知装置３２から物体の検知信号を入力したとき、第１検知装置３２により検知された物体を集品容器以外の物体として認識する。
【００２９】
第２判定部２３は、集品容器以外の物体を認識すると、第１判定部２３と同様に、駆動部２６に減速信号又は停止信号を出力し、搬送装置１４を減速又は停止させる。作業者は、搬送装置１４が減速又は停止されている間に、集品容器以外の物体が落下物である場合は、落下物を集品容器１２内に投入し直す作業を行う。作業者は、落下物を集品容器内へ投入し直す作業が完了すると、再起動スイッチ３８（図１）を操作する。再起動スイッチ３８が操作されると、駆動部２６により搬送装置１４の通常の運転が再開される。
【００３０】
次に、集品容器の実際の搬送位置と位置追跡データを一致させる修正について説明する。集品容器の実際の位置と集品容器の位置追跡データは、一致しているのが原則である。しかし、何らかの原因によって集品容器の実際の位置と集品容器の位置追跡データとの間にずれを生じることがある。ずれが生じた状態を放置すると種々の問題を生じるので、集品容器の位置追跡データと集品容器の実際の位置とを一致させる修正を行う必要がある。
【００３１】
第３判定部２４（図６）は、集品容器に位置ずれが発生している場合に、集品容器の位置追跡データに合わせて集品容器の実際の位置を修正するように作業者に対する指示を行う。ただし、集品容器の多少の位置ずれは許容される。第１検知装置３２における集品容器の位置ずれが大きくないときは、後述のようにして集品容器の実際の位置に合わせて位置追跡データを修正するだけで足りる。
【００３２】
図４（ａ）（ｂ）は、集品容器の実際の位置１２ａが位置追跡データ１２ｂから位置ずれしている場合を示しており、図４（ａ）は、集品容器の実際の位置１２ａが位置追跡データ１２ｂよりも搬送方向の下流側にずれている場合を示し、図４（ｂ）は、集品容器の実際の位置１２ａが位置追跡データ１２ｂよりも搬送方向の上流側にずれている場合を示している。第３判定部２４は、図４（ａ）（ｂ）に示すように、集品容器の位置追跡データ１２ｂから集品容器の実際の位置１２ａまでの第１乖離距離Ｗが、集品容器１２の位置を修正する最小の距離である第１許容乖離距離Ｔを超えているとき、集品容器１２の位置追跡データに合わせて集品容器１２の実際の位置を修正すると判定する。
【００３３】
図４（ｃ）（ｄ）は、集品容器の位置追跡データ１２ｂに合わせて集品容器の実際の位置１２ａを修正する際の状態を示しており、図４（ｃ）は、集品容器の実際の位置１２ａが位置追跡データ１２ｂよりも搬送方向の下流側にずれている場合を示し、図４（ｄ）は、集品容器の実際の位置１２ａが位置追跡データ１２ｂよりも搬送方向の上流側にずれている場合を示している。第３判定部２４は、図４（ｃ）（ｄ）に示すように、集品容器の位置追跡データ１２ｂに合わせて集品容器の実際の位置１２ａを修正すると判定すると、集品容器の位置追跡データ１２ｂがおおよそ停止基準位置Ｋに停止するように、駆動部２６に減速信号、停止信号を出力し、搬送装置１４の減速、停止を行わせる。そして、搬送装置１４が停止すると、第３判定部２４は、表示装置３６に、集品容器の位置追跡データ１２ｂに対応する位置表示手段３５上の位置を表示する。作業者は、表示装置３６に表示された位置へと集品容器を手でもって移動させることにより、集品容器の位置追跡データ１２ｂに合わせて、集品容器の実際の位置１２ａを修正する。集品容器の位置ずれの修正が完了すると、作業者は、再起動スイッチ３８（図１）を操作する。再起動スイッチ３８が操作されると、駆動部２６により搬送装置１４の通常の運転が再開される。
【００３４】
次に、集品容器の実際の位置に合わせて位置追跡データを修正することについて説明する。集品容器の位置追跡データの実際の位置への置き換えは、図５（ａ）（ｂ）に示すように、調整領域Ａ内の搬送方向における最下流位置に配置される第２検知装置３３を用いて行われる。図５（ａ）（ｂ）は、集品容器の位置追跡データを実際の位置に置き換えて修正する状態を示しており、図５（ａ）は、集品容器の実際の位置が位置追跡データの上流側にずれている場合を示し、図５（ｂ）は、集品容器の実際の位置が位置追跡データの下流側にずれている場合を示している。
【００３５】
位置修正部２５（図６）が、集品容器の位置追跡データを実際の位置に置き換えて修正することを実行する。位置修正部２５には、第２検知装置３３から物体の検知信号が入力され、さらに、位置追跡部２１から集品容器の位置追跡データが入力されている。位置修正部２５には、図５（ａ）（ｂ）に示すような、集品容器の実際の位置と集品容器の位置追跡データとの搬送方向のずれを修正するための第２許容乖離距離Ｘが予め登録されている。位置修正部２５は、第２検知装置３３から集品容器の検知信号が入力されたときに判定を行う。位置修正部２５は、第２検知装置３３の位置と位置追跡部２１から入力する集品容器の位置追跡データまでの距離である第２乖離距離Ｙを求める。そして、位置修正部２５は、第２乖離距離Ｙが第２許容乖離距離Ｘ以下である場合に、集品容器の位置追跡データを集品容器の実際の位置に合わせて修正する。一方、位置修正部２５は、第２乖離距離Ｙが第２許容乖離距離Ｘよりも大きい場合に、集品容器の位置追跡データを集品容器の実際の位置に合わせて修正しない。この場合、次の作業領域の調整領域において集品容器の位置追跡データと実際の位置とのずれが修正される。
【００３６】
位置修正部２５は、集品容器の位置追跡データを実際の位置に合わせて修正すると判定すると、位置追跡部２１に記憶された集品容器の位置追跡データを第２検知装置３３で検知された集品容器の実際の位置（第２検知装置の位置）に置き換える。この際、第２検知装置３３では、搬送装置１４上の落下物を一例とする集品容器以外の物体が全て取り除かれている状態となるため、集品容器の位置追跡データが集品容器以外の物体の検知位置に置き換わることはない。これにより、集品容器の位置追跡データが集品容器の実際の位置と一致される。このため、投入領域Ｂにおいて投入装置によって落下投入される物品１３（図１）が集品容器内にきちんと収まるようになり、集品容器の外に物品がこぼれるおそれが低減される。
【００３７】
上述のように集品容器の位置追跡データ１２ｂに合わせて集品容器の実際の位置１２ａを修正する際には、図４（ｃ）（ｄ）に示すように、調整領域Ａ内に集品容器を停止させるのであるが、調整領域Ａでは、集品容器の位置ずれの修正の他に、集品容器内の物品を整理する作業（荷繰り作業ともいう）が行われることがある。集品容器内に物品が乱雑に収納されて溢れそうになっている場合、この集品容器に対して投入装置により新たに物品を投入すると、集品容器の外に物品がこぼれるおそれが高くなる。荷繰り作業は、集品容器の外に物品がこぼれることを防止するため、集品容器内に物品を投入できるスペースを確保するために集品容器内の物品を均す作業である。この荷繰り作業を行うとき、作業者は、集品容器内で物品を動かしたり、集品容器を手で押さえたりするので、集品容器が位置ずれすることがある。この位置ずれが生じた場合は、同様に第２検知装置３３が集品容器を検知したときに、それに合わせて位置追跡データを修正する。
【００３８】
検知装置として、第１検知装置３２と第２検知装置３３の２つの検知装置を用いているのは、この荷繰り作業による集品容器の位置ずれの発生を考慮しているためである。集品容器について荷繰り作業を行わない場合は、１つ検知装置のみで集品容器以外の物体の検知と集品容器の位置ずれの修正を行うことも可能である。すなわち、上述の実施の形態では、第１検知装置３２および第２検知装置３２を用いているが、検知装置を１つとすることもできる。その場合には、１つの検知装置において検知された物体のうち集品容器に比べて長すぎる物体や短すぎる物体を集品容器以外の物体として検出し、集品容器１２の位置追跡データから搬送方向につき前方の一定範囲において検知装置により検知された物体を集品容器以外の物体として検出する。ここまでは上述の場合と同様である。そして、当該１つの検知装置により集品容器以外の物体として検知された物体を除いた物体を集品容器であるとみなし、集品容器の位置追跡データを検知装置による集品容器の検知位置に置き換える。これにより、集品容器の追跡位置が集品容器以外の物体の位置に置き換わることなく、集品容器の位置追跡データを集品容器１２の現実の位置に一致するように修正することができる。
【００３９】
また上述の実施の形態では、搬送設備の一例である物品投入設備１１について詳述したが、搬送装置上の被搬送物の位置追跡データを利用する搬送設備であれば、どのような形態の設備においても、本発明を適用することができる。
【符号の説明】
【００４０】
１１  物品投入設備
１２  集品容器
１２ａ  実際の位置
１２ｂ  位置追跡データ
１３ａ  集品容器以外の物体
１４  搬送装置
１５  投入装置
１８  読取装置
１９  エンコーダ
２０  制御装置
２１  位置追跡部
２２  第１判定部
２３  第２判定部
２４  第３判定部
２５  位置修正部
３２  第１検知装置
３３  第２検知装置
３５  位置表示手段
３６  表示装置
【図１】
0005696645.tif 000002
【図２】
0005696645.tif 000003
【図３】
0005696645.tif 000004
【図４】
0005696645.tif 000005
【図５】
0005696645.tif 000006
【図６】
0005696645.tif 000007